【事件の表示】
　上記当事者間の登録第４２１２６１９号商標の登録取消審判事件について、次のとおり審決する。
【結　論】
　本件審判の請求は、成り立たない。
　審判費用は、請求人の負担とする。
【理　由】
第１　本件商標
　本件登録第４２１２６１９号商標（以下「本件商標」という。）は、「エルローズ」の片仮名文字を横書きしてなり、第３類「化粧品」及び第２５類「下着，靴下」を指定商品として、平成９年８月４日登録出願、同１０年１１月２０日に設定登録され、現に有効に存続しているものである。
    　
第２　請求人の主張
　請求人は、「本件商標の登録を取り消す。審判費用は被請求人の負担とする。」との審決を求めると申し立て、その理由として、「本件商標は、その指定商品中のいずれについても、継続して３年以上日本国内において、商標権者、専用使用権者又は通常使用権者のいずれも使用した事実がないから、その登録は、商標法第５０条第１項の規定により取り消されるべきである。」旨述べた。
　また、被請求人の答弁に対する弁駁及び意見書において、「請求人の提出した各証拠に記載された『エルローズ』の文字は、いずれも商品との関連がみられることがなく、単に請求人の社章又は略称として用いられているものである。」旨述べた。
    　
第３　被請求人の答弁
　被請求人は、結論同旨の審決を求めると答弁し、その理由を要旨次のように述べ、証拠方法として、乙第１号証ないし乙第１６号証及び検乙第１号証（枝番を含む。）を提出した。
（１）被請求人は、主に女性用下着の企画、製造及び販売を事業内容としている会社であり、ファンデーション、衛生マスク、化粧品等を取り扱っている。（乙第１号証ないし乙第３号証）
（２）乙第４号証ないし乙第６号証は、被請求人の取扱いに係る商品「女性用下着」のカタログであり、その裏表紙に本件商標である「エルローズ」が表示されている。
（３）乙第７号証の１ないし乙第７号証の６は、上記乙第４号証ないし乙第６号証であるカタログの制作に係る外注業者による請求書及び納品書であり、当該カタログの作成時期を明らかにするものである。
（４）乙第１０号証は、２００１年１２月付けの請求明細書であり、これには、乙第４号証ないし乙第６号証に掲載されているスリーインワン、ショーツ、ボストン、ロングガードル等の下着類が商品名として記載されており、該請求明細書は、商品を納めた客先へ送付される。
（５）乙第１５号証は、被請求人が平成１５年１月１０日から同年２月２８日までの期間にわたって行った女性用下着の販売キャンペーンの案内であり、表紙下側に本件商標である「エルローズ」が表示されている。
（６）以上のとおり、本件商標は、被請求人がその指定商品について、本件審判請求の予告登録前３年以内に日本国において使用しているものであるから、本件商標の登録は取り消されるべきものではない。
　
第４　当審の判断
１　乙第１号証ないし乙第７号証、乙第１０号証及び乙第１５号証によれば以下の事実を認めることができる。
（１）乙第１号証は、平成１５年２月５日現在の会社概要であるところ、当該会社概要中に「【事業内容】衣料品（女性用下着）の企画，製造，販売（卸）」の記載がある。また、乙第３号証は、エル・ローズグループの総合カタログであるところ、当該総合カタログ中のＩＮＤＥＸの項に、「株式会社エル・ローズ」の記載の下に、「ファンデーション（女性用下着）をメインに、それに関連する商品を企画・製造・販売。」の記載がある。
（２）乙第４号証は、女性用下着「ＣＨＥＲＩ　ＲＥＩ」のカタログであるところ、当該カタログの裏表紙には、「ＥＬＬＥＲＯＳＥ」、「エルローズ」の文字のほかに「株式会社エルローズ」と本社の住所の記載がある。
（３）乙第５号証は、女性用下着「ｓａ　ｌｕｘｅ」のカタログであるところ、当該カタログの裏表紙には、「ＥＬＬＥＲＯＳＥ」、「エルローズ」の文字のほかに「株式会社エルローズ」と本社の住所の記載がある。
（４）乙第６号証は、女性用下着「Ｓｔｙｌｅ−ｕｐ」のカタログであるところ、当該カタログの裏表紙には、「ＥＬＬＥＲＯＳＥ」、「エルローズ」の文字のほかに「株式会社エルローズ」と本社の住所の記載がある。
（５）乙第７号証の７は、株式会社ライトブレーンから被請求人に宛てた「請求締切日（平成）１４年７月２０日」とする請求書、並びに「納品日付　平成１４年７月２０日」とする請求明細書及び納品書であるところ、上記請求明細書及び納品書の「品名・内容」欄には、「『グループ案内』増刷」との記載があり、また、「数量」欄には、「２００」の記載がある。
（６）乙第７号証の１及び２は、増田紙器工業株式会社から被請求人に宛てた平成１３年３月３１日付け請求書及び平成１３年３月３０日付け納品書であるところ、いずれも「品名」欄には、「シェリーレイカタログ」の記載があり、「数量」欄には、「５００」の記載がある。
（７）乙第７号証の５及び６は、増田紙器工業株式会社から被請求人に宛てた２００２年４月３０日付け請求書及び２００２年４月１５日付け納品書であるところ、いずれも「品名」欄には、「サリュクスカタログＡ４　８Ｐ」の記載があり、「数量」欄には、「３０００」の記載がある。
（８）乙第７号証の３及び４は、増田紙器工業株式会社から被請求人に宛てた２００２年１０月３１日付け請求書及び２００２年１０月１１日付け納品書であるところ、いずれも「品名」欄には、「スタイルアップカタログＡ４　８Ｐ」の記載があり、「数量」欄には、「２０００」の記載がある。
（９）乙第１０号証は、被請求人作成に係る２００１年（平成１３年）１２月３日から同年１２月２６日にかけての請求明細書（控）であるところ、例えば、２００１年１２月５日付け（１枚目）の「商品名」欄には、「スタイルアップ　スリーインワン」、「サリュクス　ＰＵＮＶ　ロングガードル」等の記載がある。また、２００１年１２月２５日付け（７枚目）の「商品名」欄には、「シェリーレイ　ブラジャーＬＢＲ」等の記載がある。
（１０）乙第１５号証は、請求人の創立２０周年キャンペーンの案内書と認められるところ、女性用下着の商品サイズ表とともに、キャンペーン期間として「平成１５年１月１０日〜平成１５年２月２８日」の記載がある。そして、当該カタログの表紙には、「ＥＬＬＥＲＯＳＥ」、「エルローズ」と赤色で書した文字のほかに「株式会社エルローズ」と本社の住所の記載がある。
２（１）前記１で認定した事実を総合すると、被請求人が頒布した女性用下着のカタログ（乙第４号証ないし乙第６号証）は、平成１３年３月３１日から平成１４年１０月１１日までに制作されたものであること、被請求人は、女性用下着の販売キャンペーンを平成１５年１月１０日から同年２月２８日の期間にわたって行ったこと（乙第１５号証）、上記カタログ及びキャンペーン案内書には、いずれも本件商標と同一の構成よりなる「エルローズ」の文字が表示されていることが認められる。
　したがって、被請求人は、本件商標を本件審判の請求の登録日である平成１５年２月１９日前３年以内に日本国内において、請求に係る指定商品中の「女性用下着」について使用していたことが認められる。
（２）請求人は、乙第４号証ないし乙第６号及び乙第１５号証に表示された「エルローズ」の文字は、いずれも商品との関連性がなく、単に請求人の社章又は略称として用いられているものであるから、請求に係る指定商品について本件商標を使用していることを証明したことにはならない旨主張している。
　しかしながら、当該カタログ、キャンペーン案内書の表紙若しくは裏表紙に表示された「エルローズ」の文字は、被請求人のハウスマーク的使用と認められるものであって、被請求人の取扱いに係る個々の商品に使用されるペットマークとは別に、カタログに掲載されている商品全ての識別標識として機能を果たしているとみるのが相当である。
　したがって、前記認定のとおり、カタログ及びキャンペーン案内書に表示された「エルローズ」は、登録商標の使用というべきであるから、請求人の主張は理由がない。
３　むすび
　前記２で認定したとおり、被請求人は、本件審判の請求の登録前３年以内に日本国内において、請求に係る指定商品中の「女性用下着」について、商標権者が本件商標を使用していたことを証明したものと認め得るところである。
　したがって、本件商標の登録は、商標法第５０条の規定により、取り消すべきものとすることはできない。
　よって、結論のとおり審決する。